(57)【要約】【課題】空気ポンプの軸受部に熱膨張率の異なる部材で軸受とハウジングを構成した場合に、ハウジングからの軸受の脱落や緩みを防ぐことの出来る空気ポンプを提供すること。【解決手段】空気ポンプには、軸受であるボールベアリングと同系材料で構成されたブッシュを予めハウジングに堅固に取り付けておき、ブッシュの外周面には微小凹凸形状の突起を構成し、ハウジングに対するブッシュの抜けと緩みを防止する手段を講じたものである。【選択図】図１
2005330824.tif 000002
【特許請求の範囲】
【請求項１】
空気を動作流体とするポンプ機構とポンプ機構を作動させる偏芯回転機構とこれを駆動させる電動機を備え、偏芯回転機構は非鉄材料で構成されたハウジング部にボールベアリングで支えられた偏芯軸が収納され、ボールベアリングはハウジング部にボールベアリングと同系材料のブッシュを介して支えられた構成のポンプにおいて、ブッシュは概円筒形状で、ハウジングに対する回り止め機構と抜け止め機構が設けられ、ハウジング部に予め強固に固定された事を特徴とする空気ポンプ。
【請求項２】
概円筒形状のブッシュには円筒外周面全体を取り巻くように設けられた微小凹凸形状の突起でハウジングに対する回り止め機構と抜け止め機構が構成された事を特徴とする請求項１に記載の空気ポンプ。
【請求項３】
概円筒形状のブッシュには円筒外周面全体を帯状に取り巻くように設けられた微小凹凸形状の突起と、微小凹凸形状の突起の帯の一部に溝を設けてハウジングに対する回り止め機構と抜け止め機構を構成した事を特徴とする請求項１に記載の空気ポンプ。
【請求項４】
概円筒形状のブッシュには円筒外周面を帯状に取り巻くように設けられた微小凹凸形状の突起と微小凹凸形状の突起を設けない帯状の部分を併行して設ける事によりハウジングに対する回り止め機構と抜け止め機構を構成した事を特徴とする請求項１に記載の空気ポンプ。
【請求項５】
概円筒形状のブッシュには円筒外周面を取り巻くように設けられた微小凹凸形状の突起の帯状部分を挟むように微小凹凸形状の突起を設けない帯状の部分を併行して設ける事によりハウジングに対する回り止め機構と抜け止め機構を構成した事を特徴とする請求項４に記載の空気ポンプ。
【発明の詳細な説明】
【技術分野】
【０００１】
本発明は冷暖房装置あるいは酸素富化空気の供給などに用いられる空気ポンプに関するものである。
【背景技術】
【０００２】
従来、この種の空気ポンプは電動機を駆動源としてその動力を偏芯軸とベアリングを介してコネクティングロッドからポンプのシリンダ部へ伝達している。
【０００３】
この際、電動機の回転運動をコネクティングロッドの上下往復運動へ変換して動力を伝達するため、偏芯軸とベアリング部分にはアンバランスな負荷が掛かりやすい。運動する部材の軽量化と部品製造の扱い安さから、コネクティングロッドをアルミダイカストで製作し、ベアリングはボールベアリングを用いてこれをコネクティングロッドのハウジング部に挿入固定する方法がよく用いられるが、これを高温雰囲気中で使用したり、連続運転時の発熱による場合など、ベアリングとハウジング部の温度が上昇すると材料の熱膨張率の違いからベアリングをハウジングに固定する力が低下してハウジング内でベアリングが回転方向や軸方向にずれてしまうという課題があった。
【０００４】
これを防止する手段として、ベアリングとハウジングの中間部にベアリングの熱膨張率とハウジングの熱膨張率の中間の熱膨張率を有する部材を配置する方法が採られている。（例えば、特許文献１参照）
【特許文献１】特開２００３−０９７５７８号公報
【発明の開示】
【発明が解決しようとする課題】
【０００５】
しかしながら、前記従来からの解決手段では鉄とアルミのように熱膨張率の差が大きい部材で回転軸受とハウジングを構成した場合には、これら部材の中間の熱膨張率を有する部材を手当てするのは容易ではなく、材料調合等の手段で専用の素材を準備する必要がある。
【０００６】
本発明は家庭用空調装置などに用いられる真空ポンプにおいて、軸受部のクリープ現象による不都合を防止し、ハウジングからの軸受の抜けや緩みを簡易な構造で防止する手段を提供することを目的とする。
【課題を解決するための手段】
【０００７】
前記従来の課題を解決するために、本発明の空気ポンプは、軸受であるボールベアリングと同系材料で構成されたブッシュをコネクティングロッドのアルミダイカスト製作時に共に鋳込む事により予めハウジングに堅固に取り付けておき、ブッシュの外周面にはハウジングに対するブッシュの抜けと緩みを防止する手段を講じたものである。
【発明の効果】
【０００８】
本発明の空気ポンプは、軸受部の軸受とハウジングの熱膨張率に大きな差があっても軸受がハウジングに対して緩んだり、ハウジングから抜ける事がない。
【発明を実施するための最良の形態】
【０００９】
第１の発明は、空気を動作流体とするポンプ機構とポンプ機構を作動させる偏芯回転機構とこれを駆動させる電動機を備え、偏芯回転機構は非鉄材料で構成されたハウジング部にボールベアリングで支えられた偏芯軸が収納され、ボールベアリングはハウジング部に
ボールベアリングと同系材料のブッシュを介して支えられた構成のポンプにおいて、ブッシュは概円筒形状で、ハウジングに対する回り止め機構と抜け止め機構が設けられ、ハウジング部に予め強固に固定されている。
【００１０】
第２の発明は、概円筒形状のブッシュには円筒外周面全体を取り巻くように設けられた微小凹凸形状の突起でハウジングに対する回り止め機構と抜け止め機構が構成されている。
【００１１】
第３の発明は、概円筒形状のブッシュには円筒外周面全体を帯状に取り巻くように設けられた微小凹凸形状の突起と、微小凹凸形状の突起の帯の一部に溝を設けてハウジングに対する回り止め機構と抜け止め機構が構成されている。
【００１２】
第４の発明は、概円筒形状のブッシュには円筒外周面を帯状に取り巻くように設けられた微小凹凸形状の突起と微小凹凸形状の突起を設けない帯状の部分を併行して設ける事によりハウジングに対する回り止め機構と抜け止め機構が構成されている。
【００１３】
第５の発明は、概円筒形状のブッシュには円筒外周面を取り巻くように設けられた微小凹凸形状の突起の帯状部分を挟むように微小凹凸形状の突起を設けない帯状の部分を併行して設ける事によりハウジングに対する回り止め機構と抜け止め機構が構成されている。
【００１４】
以下、本発明の実施の形態について、図面を参照しながら説明する。なお、この実施の形態によって本発明が限定されるものではない。
【００１５】
（実施の形態１）
図１に本発明の第１の実施の形態における空気ポンプの軸受ブッシュの外観図を示す。
【００１６】
図１において、ブッシュの外周面中央部にはハウジングに対するブッシュの回転方向に対する緩み防止のための微小凹凸形状の突起を設け、同じくブッシュ外周面の両端部には微小凹凸形状の突起を設けない部分がある。これにより、微小凹凸形状の突起を設けた部分と設けない部分の境界部にはブッシュ外周面を取り巻くように段差部分が生じ、この段差部分がハウジングからのブッシュの抜けを防止する。
【００１７】
（実施の形態２）
図２に本発明の第２の実施の形態における空気ポンプの軸受ブッシュの外観図を示す。
【００１８】
図２において、ブッシュの外周面には全面にハウジングに対するブッシュの回転方向に対する緩み防止のための微小凹凸形状の突起を設けており、この微小凹凸形状の突起によるハウジングへの引っ掛かり効果によりハウジングからのブッシュの抜けを防止する。
【００１９】
（実施の形態３）
図３に本発明の第３の実施の形態における空気ポンプの軸受ブッシュの外観図を示す。
【００２０】
図３においてブッシュの外周面には微小凹凸形状の突起の帯部とハウジングへの引っ掛け用の溝部を交互に設けており、この微小凹凸形状の突起によってブッシュはハウジングに対して回転方向の緩みが防止され、溝部によるハウジングへの引っ掛かり効果によりハウジングからのブッシュの抜けを防止する。
【００２１】
（実施の形態４）
図４と図１に本発明の第４と第５の実施の形態における空気ポンプの軸受ブッシュの外観図を示す。
【００２２】
図４においてブッシュの外周面両端部にはハウジングに対するブッシュの回転方向に対する緩み防止のための微小凹凸形状の突起を設け、同じくブッシュ外周面の中央部には微小凹凸形状の突起を設けない帯状の部分がある。これにより、微小凹凸形状の突起を設けた部分と設けない部分の境界部にはブッシュ外周面を取り巻くように段差部分が生じ、この段差部分がハウジングからのブッシュの抜けを防止する。
【００２３】
図１は微小凹凸形状の突起の帯と突起のない帯状部分の配列を入れ替えた物であり、前記効果と同じ効果を生じる。
【産業上の利用可能性】
【００２４】
以上のように、本発明による空気ポンプは、熱膨張率の異なる部材を用いて軸受とハウジングを構成した場合のクリープ現象によるハウジングからの軸受の脱落や緩みを防止する効果があるので、空気ポンプに限らず、軸受の構成一般に応用展開できる。
【図面の簡単な説明】
【００２５】
【図１】本発明の第１と第５の実施の形態におけるブッシュの外観図
【図２】本発明の第２の実施の形態におけるブッシュの外観図
【図３】本発明の第３の実施の形態におけるブッシュの外観図
【図４】本発明の第４の実施の形態におけるブッシュの外観図
【符号の説明】
【００２６】
１  ブッシュ                                
２  微小凹凸形状の突起
３  回り止め機構
４  抜け止め機構
【図１】
2005330824.tif 000003
【図２】
2005330824.tif 000004
【図３】
2005330824.tif 000005
【図４】
2005330824.tif 000006